(57)【要約】  本発明のアイウェアは、フレームと、上記フレームに配置され、互いに異なる第１の指示動作および第２の指示動作を受け付ける入力部と、上記フレームに保持され、電気制御により光学特性が変化する光学モジュールと、上記第１の指示動作によって上位階層の機能を選択的に実行し、上記第２の指示動作によって下位階層の機能を選択的に実行して、上記光学モジュールの光学特性を変化させる制御部と、を有する。これにより、より複数の機能をより簡易な操作で実行可能なアイウェアを提供できる。
2018155392.tif 000002
【特許請求の範囲】
【請求項１】
フレームと、
前記フレームに配置され、互いに異なる第１の指示動作および第２の指示動作を受け付ける入力部と、
前記フレームに保持され、電気制御により光学特性が変化する光学モジュールと、
前記入力部が前記第１の指示動作を受け付けたときに上位階層の機能を選択的に実行し、前記入力部が前記第２の指示動作を受け付けたときに下位階層の機能を選択的に実行して、前記光学モジュールの光学特性を変化させる制御部と、
を有するアイウェア。
【請求項２】
前記入力部は、複数のタッチセンサを列状に配置してなり、前記第１の指示動作および第２の指示動作の方向を識別する、請求項１に記載のアイウェア。
【請求項３】
前記制御部は、前記第１の指示動作によって、前記上位階層の複数の機能のうち、予め定められた順番で遷移された一つを選択的に実行する、請求項１または２に記載のアイウェア。
【請求項４】
前記入力部は、前記指示動作の動作量を識別可能なセンサであり、
前記制御部は、前記第１の指示動作によって、前記上位階層の複数の機能のうち、前記第１の指示動作の動作量に対応させて予め定められた一つを選択的に実行する、請求項１または２に記載のアイウェア。
【請求項５】
前記制御部は、前記第２の指示動作によって、前記下位階層の複数の機能のうち、予め定められた順番で遷移された一つを選択的に実行する、請求項１〜４のいずれか１項に記載のアイウェア。
【請求項６】
前記入力部は、前記指示動作の動作量を識別可能であり、
前記制御部は、前記第２の指示動作によって、前記下位階層の複数の機能のうち、前記第２の指示動作の動作量に対応させて予め定められた一つを選択的に実行する、請求項１〜４のいずれか１項に記載のアイウェア。
【請求項７】
前記制御部は、前記第１の指示動作によって、前記光学モジュールの異なる光学特性を変化させる複数の上位階層の機能のうち一つを選択的に実行する、請求項１〜６のいずれか１項に記載のアイウェア。
【請求項８】
前記制御部は、前記第１の指示動作によって、前記光学モジュールの屈折率を変化させる視力補正機能および前記光学モジュールの透過率を変化させる調光機能を含む複数の上位階層の機能のうち一つを選択的に実行する、請求項７に記載のアイウェア。
【請求項９】
前記制御部は、前記第２の指示動作によって、前記光学モジュールの光学特性を変化させる変化パターンが異なる複数の下位階層の機能のうち一つを選択的に実行する、請求項７または８に記載のアイウェア。
【請求項１０】
前記制御部は、前記第２の指示動作によって、前記光学モジュールの屈折率または透過率を変化させる変化パターンが異なる複数の下位階層の機能のうち一つを選択的に実行する、請求項９に記載のアイウェア。
【請求項１１】
前記制御部は、前記第２の指示動作によって、所定の条件が満たされたときに前記光学モジュールの前記光学特性を変化させるオート機能、および入力操作の受け付けによって前記光学特性を変化させるマニュアル機能、を含む複数の下位階層の機能のうち一つを選択的に実行する、請求項１〜１０のいずれか１項に記載のアイウェア。
【請求項１２】
前記入力部は、
第１の方向への指示動作を前記第１の指示動作として受け取り、
第２の方向への指示動作を前記第２の指示動作として受け取り、
前記第１の方向と前記第２の方向とは、互いに略反対方向である、
請求項１〜１１のいずれか１項に記載のアイウェア。
【請求項１３】
前記入力部は、前記フレームのテンプルに配置されたタッチセンサであり、前記第１の方向及び前記第２の方向は、前記テンプルの長軸方向に略平行である、請求項１２に記載のアイウェア。
【請求項１４】
前記入力部は、前記フレームのテンプルまたはフロントに配置された複数のタッチセンサである、請求項１〜１３のいずれか１項に記載のアイウェア。
【発明の詳細な説明】
【技術分野】
【０００１】
本発明は、アイウェアに関する。
【背景技術】
【０００２】
近年、使用者が装着可能な電子機器（ウェアラブルデバイス）の開発が行われている。【０００３】
たとえば、特許文献１には、眼鏡本体の傾斜角度によって液晶レンズへの電気信号を制御して、焦点距離を自動的に可変にするアイウェア（眼鏡）が記載されている。【０００４】
また、特許文献２には、使用者の視距離、視線または頭の傾きなどを検出して、レンズの焦点距離などを変化させるアイウェアが記載されている。【０００５】
アイウェアには、特許文献１および特許文献２に記載の機能以外にも、様々な複数の機能を持たせることが可能である。複数の機能を有するウェアラブルデバイスには、機能の選択や操作等のため、使用者などからの複数の入力操作を受け付けることが求められる。【０００６】
たとえば、特許文献３には、互いに異なる機能を出力させることが可能な複数のセンサを備えたアイウェアが記載されている。
【先行技術文献】
【特許文献】
【０００７】
【特許文献１】特開昭６２−００９３１５号公報
【特許文献２】米国特許第６５１７２０３号明細書
【特許文献３】特表２０１６−５０７８０２号公報
【発明の概要】
【発明が解決しようとする課題】
【０００８】
特許文献３に記載のアイウェアは、使用者の指示動作によって複数の機能を出力させることが可能である。しかし、特許文献３に記載のアイウェアは、アイウェアが有する機能がより増えたり複雑化したりすると、これらに対応するセンサを増やしていく必要がある。このようにしてより多くのセンサを備えたアイウェアは、使用者による操作を複雑化させ、操作を困難にしたり、誤操作を生じやすくしたりしかねない。【０００９】
上記問題に鑑み、本発明は、複数の機能をより簡易な操作で実行可能なアイウェアを提供することを目的とする。
【課題を解決するための手段】
【００１０】
本発明は、階層構造を有する機能体系の各階層に含まれる各機能を、入力部への異なる複数の入力動作によって選択的に実行可能な制御部を有するアイウェアに関する。【００１１】
具体的には、本発明の一態様は、フレームと、上記フレームに配置され、互いに異なる第１の指示動作および第２の指示動作を受け付ける入力部と、上記フレームに保持され、電気制御により光学特性が変化する光学モジュールと、上記入力部が上記第１の指示動作を受け付けたときに上位階層の機能を選択的に実行し、上記入力部が上記第２の指示動作を受け付けたときに下位階層の機能を選択的に実行して、上記光学モジュールの光学特性を変化させる制御部と、を有するアイウェアに関する。
【発明の効果】
【００１２】
本発明によれば、複数の機能をより簡易な操作で実行可能なアイウェアが提供される。
【図面の簡単な説明】
【００１３】
【図１】図１は、本発明の第１の実施形態に係るアイウェアを示す斜視図である。
【図２】図２は、本発明の第１の実施形態に係るアイウェアを示す別の斜視図である。
【図３】図３は、本発明の第１の実施形態に係るアイウェアの機能構成を表すブロック図である。
【図４】図４は、本発明の第１の実施形態に係るアイウェアが有する電気制御型レンズのＡ−Ａ’部分の模式断面図である。
【図５】図５は、本発明の第１の実施形態に係るアイウェアの動作例を示すフローチャートである。
【図６】図６は、本発明の第１の実施形態に係るアイウェアの別の動作例を示すフローチャートである。
【図７】図７は、本発明の第１の実施形態の変形使用例において使用し得るアイウェアが有する入力部の模式的な断面図である。
【図８】図８は、本発明の第２の実施形態に係るアイウェアの動作例を示すフローチャートである。
【図９】図９は、入力部の位置が異なるアイウェアを示す斜視図である。
【図１０】図１０は、入力部の位置が異なる別のアイウェアを示す斜視図である。
【図１１】図１１は、入力部の位置が異なるさらに別のアイウェアを示す斜視図である。
【図１２】図１２は、本発明の別の実施形態におけるアイウェアの例示的な機能構成を表すブロック図である。
【発明を実施するための形態】
【００１４】
以下、複数の実施形態を用いて、本発明のアイウェアを説明する。
【００１５】
本発明のアイウェアは、例えば、視力補正レンズのようにユーザの視力向上のための補助機構を有するいわゆる眼鏡（電子メガネ、サングラスを含む）やゴーグル、ユーザの視界あるいは眼に対して情報提示を行う機構を有する種々のデバイス（例えば、眼鏡型ウェアラブル端末、ヘッドマウントディスプレイ等）が含まれる。以下の本実施形態では、一対のレンズを有する両目用の電子眼鏡を例に説明するが、本発明に係るアイウェアは、この態様に限定されない。アイウェアは、装着されることにより、眼に対して視力または視界向上のための補助機構や情報提示のための機構を保持する構成であればよく、両方の耳に装着される眼鏡型に限らず、頭部や片方の耳のみに装着される装置であってもよい。また、両眼用ではなく、片眼のみに作用するアイウェアであってもよい。
【００１６】
［第１の実施形態］
（アイウェア）
図１および図２は、本発明の第１の実施形態に係るアイウェア１００を示す斜視図である。
【００１７】
図１および図２に示すように、アイウェア１００は、フロント１１０および一対のテンプル１２０ａおよび１２０ｂを有するフレーム１３０、入力部１４０、電気制御により光学特性が変化する光学モジュールである一対の電気制御型レンズ１５０、感知部１６０、制御部１７０としても機能するＣＰＵ（Central  Processing  Unit）およびＲＡＭ（Random  Access  Memory）、ならびに記憶部１７２としても機能するＲＯＭ（Read  Only  Memory）などが含まれるＣＰＵユニット１７５などの演算装置、ならびに電源１８０を有する。ＣＰＵは、アイウェア１００の機能を実行するためのプログラムをＲＯＭから読み出してＲＡＭに展開し、展開したプログラムを実行してアイウェア１００の各機能部の動作を制御する。
【００１８】
また、アイウェア１００の機能構成を表すブロック図である図３に示すように、アイウェア１００が備える各機能部は、バスＢにより接続される。
【００１９】
なお、以下の記載では、一対の電気制御型レンズ１５０が配置されている部分をアイウェア１００の正面（前方）とする。また、以下の記載では、各図面におけるＸ軸方向を前後方向（矢印で示す方向が前方）、各図面におけるＹ軸方向を左右方向（矢印で示す方向が左方）、各図面におけるＺ軸方向を上下方向（矢印で示す方向が上方）とする。
【００２０】
フロント１１０は、一対の電気制御型レンズ１５０を保持する。フロント１１０は、上記一対の電気制御型レンズ１５０をそれぞれ支持する一対のリム１１２と、上記一対のリム１１２を接続するブリッジ１１４と、を有する。リム１１２は、電気制御型レンズ１５０の形状に対応する形状を有する。特に図示しないが、フロント１１０の内部には、電気制御型レンズ１５０とＣＰＵユニット１７５（制御部１７０）とを電気的に接続するための配線が配置される。
【００２１】
フロント１１０の材料は、特に限定されず、メガネのフロントの材料として使用されている公知の材料とすることができる。フロント１１０の材料の例には、ポリアミド、アセテート、カーボン、セルロイド、ポリエーテルイミドおよびポリウレタンが含まれる。
【００２２】
一対のテンプル１２０ａおよび１２０ｂは、略左右対称となるようにフロント１１０に接続された棒状の部材であり、その前端部においてフロント１１０に接続される。一対のテンプル１２０ａおよび１２０ｂの一方（図１および図２では右側のテンプル１２０ａ）には、入力部１４０、ＣＰＵユニット１７５（制御部１７０）、感知部１６０および電源１８０が配置される。特に図示しないが、フロント１１０の内部には、入力部１４０、ＣＰＵユニット１７５（制御部１７０および記憶部１７２）、感知部１６０ならびに電源１８０を電気的に接続するための配線が配置される。
【００２３】
テンプル１２０ａおよび１２０ｂの材料は、特に限定されず、メガネのテンプルの材料として使用されている公知の材料とすることができる。テンプル１２０ａおよび１２０ｂの材料の例には、ポリアミド、アセテート、カーボン、セルロイド、ポリエーテルイミドおよびポリウレタンが含まれる。
【００２４】
入力部１４０は、アイウェアを装着する使用者などからの入力動作を受け付ける。入力部１４０は、テンプル１２０ａの外側かつ前方の領域に、前方から後方に向けて列状に配置された複数の静電容量型のタッチセンサであり、上記複数のタッチセンサに沿って前方から後方へ指などを移動させる（スワイプする）入力動作である第１の指示動作と、上記第１の方向とは略反対方向である、上記複数のタッチセンサに沿って後方から前方へ指などを移動させる（スワイプする）入力動作である第２の指示動作と、を識別して受け付ける。
【００２５】
また、入力部１４０は、上記スワイプ動作によって静電容量が変化したタッチセンサの数から、入力動作の動作量（移動量）を識別して受け付け可能であってもよい。
【００２６】
なお、入力部１４０はタッチセンサ以外のセンサであってもよいし、センサデバイスの数は複数である必要は無く単一であってもよい。例えば、人体の一部が接触した位置を検出することができるタッチパッドを入力部１４０として配置し、指の移動軌跡を検出するようにしてもよい。この場合、タッチパッドを備える単一のデバイスをテンプル１２０ａに配置すればよい。
【００２７】
一対の電気制御型レンズ１５０は、フレームのフロント１１０に保持された、電圧の印加により光学特性が変化する電気活性部を有するレンズである。それぞれの電気制御型レンズは、球面レンズであってもよいし、非球面レンズであってもよい。それぞれの電気制御型レンズは、電圧の印加によりその焦点距離（度数）および可視光の透過率を変更可能な第１の領域１５０ａと、電圧の印加によりその可視光の透過率を変更可能な第２の領域１５０ｂとを有する。
【００２８】
電気制御型レンズ１５０のＡ−Ａ’部分の模式断面図である図４に示すように、第１の領域１５０ａは、後方（使用者側）から、第１の透明基板１５１０、第１の透明電極１５２０、電気活性部としての屈折率可変層１５３０、第２の透明電極１５４０、第２の透明基板１５５０、第３の透明電極１５６０、電気活性部としての透過率可変層１５７０、第４の透明電極１５８０、および第３の透明基板１５９０がこの順に積層されてなる。
【００２９】
なお、特に図示はしないが、第１の透明基板１５１０および第１の透明電極１５２０、または第２の透明基板１５５０および第２の透明電極１５４０は、第１の領域１５０ａにおいてフレネルレンズ形状を有していてもよい。
【００３０】
また、図４に示すように、第２の領域１５０ｂは、後方（使用者側）から、第１の透明基板１５１０、第１の透明電極１５２０、接着層１５３５、第２の透明電極１５４０、第２の透明基板１５５０、第３の透明電極１５６０、電気活性部としての透過率可変層１５７０、第４の透明電極１５８０、および第３の透明基板１５９０がこの順に積層されてなる。
【００３１】
なお、第２の透明電極１５４０と第３の透明電極１５６０とは、共通電極としてもよい。このとき、第２の透明基板１５５０は、その配置を省略することができる。
【００３２】
第１の透明基板１５１０、第２の透明基板１５５０および第３の透明基板１５９０は、アイウェア１００の前方側に向かって凸状となるように湾曲した透明部材である。
【００３３】
第１の透明基板１５１０、第２の透明基板１５５０および第３の透明基板１５９０の材料は、可視光に対する透光性を有していれば特に限定されず、レンズの材料として使用されうる公知の材料とすることができる。第１の透明基板１５１０、第２の透明基板１５５０および第３の透明基板１５９０の材料の例には、ガラスおよび樹脂が含まれる。上記樹脂の例には、ポリメチルメタクリレート、ポリカーボネート、ポリジエチレングリコールビスアリルカーボネートおよびポリスチレンが含まれる。第１の透明基板１５１０、第２の透明基板１５５０および第３の透明基板１５９０の材料は、同一であってもよいし、異なっていてもよい。
【００３４】
第１の透明電極１５２０および第２の透明電極１５４０は、透光性を有する一対の透明電極であり、第３の透明電極１５６０および第４の透明電極１５８０は、透光性を有する一対の透明電極である。
【００３５】
第１の透明電極１５２０および第２の透明電極１５４０は、少なくとも屈折率可変層１５３０に電圧を印加しうる範囲（第１の領域１５０ａ）に配置され、第３の透明電極１５６０および第４の透明電極１５８０は、少なくとも透過率可変層１５７０に電圧を印加しうる範囲（第１の領域１５０ａおよび第２の領域１５０ｂ）に配置される。
【００３６】
第１の透明電極１５２０、第２の透明電極１５４０、第３の透明電極１５６０および第４の透明電極１５８０の材料は、可視光に対する透光性と導電性とを有するものであれば特に限定されない。第１の透明電極１５２０、第２の透明電極１５４０、第３の透明電極１５６０および第４の透明電極１５８０の材料の例には、酸化インジウムスズ（ＩＴＯ）および酸化亜鉛（ＺｎＯ）が含まれる。第１の透明電極１５２０、第２の透明電極１５４０、第３の透明電極１５６０および第４の透明電極１５８０の材料は、同一であってもよいし、異なっていてもよい。
【００３７】
屈折率可変層１５３０は、電圧の印加により可視光の屈折率を変化させる層である。屈折率可変層１５３０の材料の例には、コレステリック液晶およびネマティック液晶などが含まれる。第１の透明電極１５２０および第２の透明電極１５４０によって屈折率可変層１５３０に電圧が印加されると、液晶分子の配向が変化することなどにより、屈折率可変層１５３０の屈折率が可逆的に変化する。そのため、屈折率可変層１５３０は、電圧の印加により、第１の領域１５０ａの焦点距離（度数）を変化させる。
【００３８】
透過率可変層１５７０は、電圧の印加によって可視光の透過率を変化させる層である。透過率可変層１５７０の材料の例には、エレクトロクロミック素子およびゲスト−ホスト液晶などが含まれる。第３の透明電極１５６０および第４の透明電極１５８０によって透過率可変層１５７０に電圧が印加されると、供給された電子による酸化還元反応や、液晶分子の配向の変化などにより、透過率可変層１５７０の透過率が可逆的に変化する。そのため、透過率可変層１５７０は、電圧の印加により、第１の領域１５０ａおよび第２の領域１５０ｂの可視光の透過率を変化させる。
【００３９】
接着層１５３５は、第２の領域１５０ｂにおいて、第１の透明基板１５１０と第２の透明基板１５５０との間に配置されて、第１の透明基板１５１０と第２の透明基板１５５０とを接着する。第１の透明電極１５２０および第２の透明電極１５４０が、第２の領域１５０ｂにも配置される場合には、接着層１５３５は、第１の透明電極１５２０と第２の透明電極１５４０との間に配置される。また、接着層１５３５は、屈折率可変層１５３０を構成する材料を封止する機能も有する。接着層１５３５の材料は、可視光に対する透光性を有する、接着剤の硬化物であれば特に限定されない。
【００４０】
感知部１６０は、水平軸に対する鉛直下方へのアイウェア１００の傾斜角度（以下、単に「傾斜角度」ともいう。）を感知する傾斜センサ、アイウェア１００への光の照度を感知する照度センサ、または時間を計測するタイマーなどを有する。
【００４１】
感知部１６０は、上記傾斜センサが感知した傾斜角度および上記照度センサが感知した照度を、制御部１７０に出力する。
【００４２】
制御部１７０は、入力部１４０が受け付けた入力動作が第１の指示動作または第２の指示動作であるか否かを判定し、上記入力動作が第１の指示動作または第２の指示動作であるとき、階層構造を有する機能体系に含まれる、当該指示動作に対応する各階層の機能を実行して、上記電気制御型レンズ１５０の光学特性を変化させる。
【００４３】
上記実行される上位階層の機能と下位階層の機能との組み合わせにより、アイウェア１００は、表１に示す９つのモードのいずれかに、その設定を変更され得る。各モードは、感知部１６０が感知した傾斜角度または照度が、電気制御型レンズ１５０の光学特性（屈折率または透過率）を変化すべき条件（以下、単に「変化条件」ともいう。）を満たしたときに、制御部１７０が電気制御型レンズ１５０の光学特性（屈折率または透過率）を所定の状態に変化させるパターン（以下、単に「変化パターン」ともいう。）を規定する。各モードは、上記階層構造を有する機能体系を構成する上位階層の機能のいずれかを制御部１７０が選択的に実行し、かつ、下位階層の機能のいずれかを制御部１７０が選択的に実行することで、その設定が実現される。
【００４４】
【表１】
2018155392.tif 000003
【００４５】
また、制御部１７０は、電気制御型レンズ１５０の第１の透明電極１５２０、第２の透明電極１５４０、第３の透明電極１５６０および第４の透明電極１５８０、ならびに入力部１４０および感知部１６０に電気的に接続されている。上記各モードにおいて、制御部１７０は、感知部１６０が感知した傾斜角度または照度が上記変化条件を満たしたときに、第１の透明電極１５２０、第２の透明電極１５４０、第３の透明電極１５６０および第４の透明電極１５８０のいずれかに電圧を印加して、電気制御型レンズ１５０の光学特性（屈折率または透過率）を、設定されているモードによって規定される変化パターンに応じて変化させる。
【００４６】
モード１〜モード３は、制御部１７０が、上位階層の機能として視力補正機能を実行するモードである。視力補正機能は、使用者が読書をしたりスマートフォンを操作したりするなど、近距離の対象物に焦点を合わせたいときに、使用者の頭の傾き（アイウェア１００の傾き）に応じて、電気制御型レンズ１５０の屈折率を制御部１７０が自動に変化させて使用者の視力補正を行い得る機能である。
【００４７】
モード１（視力補正・平行読書モード）は、使用者に、頭をさほど傾けない状態で、読書やスマートフォンの操作をするなどの近距離の対象物に焦点を合わせることを可能とするモードである。このとき、制御部１７０は、上位階層の機能として視力補正機能を実行し、かつ、下位階層の機能として、感知部１６０が感知したアイウェア１００の傾斜角度が２０°になったときに電気制御型レンズ１５０の屈折率を変化させることで、使用者が近距離の対象物に焦点を合わせるのを補助する、平行読書機能を実行する。
【００４８】
モード２（視力補正・中間角読書モード）は、使用者に、頭を下方に少し傾けた状態で、読書やスマートフォンの操作をするなどの近距離の対象物に焦点を合わせることを可能とするモードである。このとき、制御部１７０は、上位階層の機能として視力補正機能を実行し、かつ、下位階層の機能として、感知部１６０が感知したアイウェア１００の傾斜角度が２５°になったときに電気制御型レンズ１５０の屈折率を変化させることで、使用者が近距離の対象物に焦点を合わせるのを補助する、中間角読書機能を実行する。
【００４９】
モード３（視力補正・俯角読書モード）は、使用者に、頭を下方により大きく傾けた状態で、読書やスマートフォンの操作をするなどの近距離の対象物に焦点を合わせることを可能とするモードである。このとき、制御部１７０は、上位階層の機能として視力補正機能を実行し、かつ、下位階層の機能として、感知部１６０が感知したアイウェア１００の傾斜角度が３０°になったときに電気制御型レンズ１５０の屈折率を変化させることで、使用者が近距離の対象物に焦点を合わせるのを補助する、俯角読書機能を実行する。
【００５０】
モード４〜モード６は、制御部１７０が、上位階層の機能として調光機能を実行するモードである。調光機能は、使用者の周囲の明るさに応じて電気制御型レンズ１５０の透過率を制御部１７０が自動に変化させて調光を行い得る機能である。モード４〜モード６は、それぞれ、照度に応じて電気制御型レンズ１５０の透過率を、表２に示すように変化させるモードである。
【００５１】
【表２】
2018155392.tif 000004
【００５２】
モード４（弱調光モード）は、電気制御型レンズ１５０の透過率を、後述するモード５及びモード６と比較して、より高い状態で変化させるモードである。このとき、制御部１７０は、上位階層の機能として調光機能を実行し、かつ、下位階層の機能として、感知部１６０が感知したアイウェア１００への照度に対して、電気制御型レンズ１５０の透過率を表２の「弱調光モード」に示すように変化させる、弱調光機能を実行する。
【００５３】
モード５（中調光モード）は、電気制御型レンズ１５０の透過率を、上述のモード４よりも低く、かつ、後述するモード６よりも高い状態で変化させるモードである。このとき、制御部１７０は、上位階層の機能として調光機能を実行し、かつ、下位階層の機能として、感知部１６０が感知したアイウェア１００への照度に対して、電気制御型レンズ１５０の透過率を表２の「中調光モード」に示すように変化させる、中調光機能を実行する。
【００５４】
モード６（強調光モード）は、電気制御型レンズ１５０の透過率を、上述のモード４及びモード５と比較して、より低い状態で変化させるモードである。このとき、制御部１７０は、上位階層の機能として調光機能を実行し、かつ、下位階層の機能として、感知部１６０が感知したアイウェア１００への照度に対して、電気制御型レンズ１５０の透過率を表２の「強調光モード」に示すように変化させる、強調光機能を実行する。
【００５５】
モード７〜モード９は、制御部１７０が、使用者の頭の傾き（アイウェア１００の傾き）に応じた電気制御型レンズ１５０の屈折率の変更、および周囲の明るさに応じた電気制御型レンズ１５０の透過率の変更、をいずれも行い得る機能である。
【００５６】
モード７（ハイブリッド・弱調光モード）は、制御部１７０が、アイウェア１００の傾斜角度が２５°になったときに電気制御型レンズ１５０の屈折率を変化させ、かつ、アイウェア１００への照度に対して電気制御型レンズ１５０の透過率を表２の「弱調光モード」に示すように変化させる。このとき、制御部１７０は、上位階層の機能としてハイブリッド機能を実行し、かつ、下位階層の機能として、ハイブリッド・弱調光機能を実行する。
【００５７】
モード８（ハイブリッド・中調光モード）は、制御部１７０が、アイウェア１００の傾斜角度が２５°になったときに電気制御型レンズ１５０の屈折率を変化させ、かつ、アイウェア１００への照度に対して電気制御型レンズ１５０の透過率を表２の「中調光モード」に示すように変化させる。このとき、制御部１７０は、上位階層の機能としてハイブリッド機能を実行し、かつ、下位階層の機能として、ハイブリッド・中調光機能を実行する。
【００５８】
モード９（ハイブリッド・強調光モード）は、制御部１７０が、アイウェア１００の傾斜角度が２５°になったときに電気制御型レンズ１５０の屈折率を変化させ、かつ、アイウェア１００への照度に対して電気制御型レンズ１５０の透過率を表２の「強調光モード」に示すように変化させる。このとき、制御部１７０は、上位階層の機能としてハイブリッド機能を実行し、かつ、下位階層の機能として、ハイブリッド・強調光機能を実行する。
【００５９】
制御部１７０は、入力部１４０が第１の指示動作を受け付けたときに、上記上位階層の機能のいずれかを選択的に実行し、入力部１４０が第２の指示動作を受け付けたときに、上記下位階層の機能のいずれかを選択的に実行する。これにより、制御部１７０は、アイウェア１００の設定が実現されるモードを容易に変更可能である。
【００６０】
このとき、制御部１７０は、第１の指示動作によって、上記上位階層の機能のうち、予め定められた順番（たとえば、視力補正機能→調光機能→ハイブリッド機能→視力補正機能の順番）で遷移された一つを実行してもよいし、第１の指示動作の動作量（たとえばスワイプ動作の移動量）に対応させて予め定められた一つの上記上位階層の機能を実行してもよい。また、感知部１６０のタイマーを用いて、入力部１４０により第１の指示動作を検出した時間（例えば、使用者がタッチセンサを操作した時間）に対応させて予め定められた一つの上記上位階層の機能を実行してもよい。
【００６１】
また、制御部１７０は、第２の指示動作によって、上記下位階層の機能のうち、予め定められた順番（たとえば、視力補正機能の実行中は、平行読書機能→中間角読書機能→俯角読書機能→平行読書機能の順番）で遷移された一つを実行してもよいし、第２の指示動作の動作量（たとえばスワイプ動作の移動量）に対応させて予め定められた一つの上記下位階層の機能を実行してもよい。また、感知部１６０のタイマーを用いて、入力部１４０により第２の指示動作を検出した時間（例えば、使用者がタッチセンサを操作した時間）に対応させて予め定められた一つの上記下位階層の機能を実行してもよい。
【００６２】
記憶部１７２は、制御部１７０が上記各モードの機能を実行するためのプログラム、および第１の指示動作および第２の指示動作によって制御部１７０が実行すべき上位概念の機能および下位概念の機能（たとえば、上記遷移の順番または上記動作量と実行すべき機能の対応関係）を記憶する。
【００６３】
電源１８０は、テンプル１２０ａの後端部に着脱可能に保持される充電式のバッテリーパックであり、入力部１４０、制御部１７０および感知部１６０などの電力を消費する機能部に電力を供給する。電源１８０の例には、ニッケル水素充電池が含まれる。
【００６４】
（アイウェアの使用例）
図５は、本実施形態に係るアイウェア１００を装着した使用者が、アイウェア１００の制御部１７０が実行する上記階層の機能および下位階層の機能を決定し、制御部１７０に当該機能を実行させるときの、アイウェア１００の動作例を示すフローチャートである。図５に示す動作は、たとえば、電源１８０の取り付けによって入力部１４０、制御部１７０および感知部１６０がオン状態になることにより開始される。
【００６５】
以下の説明において、図５に示すフローを開始するときに、アイウェア１００は、モード１「視力補正・平行読書モード」に設定されていると仮定する。つまり、制御部１７０は、上位階層の機能として視力補正機能を、下位階層の機能として平行読書機能を、それぞれ実行していると仮定する。
【００６６】
まず、入力部１４０は、使用者の指の接触などによるタッチセンサの静電容量の変化などを検出して、入力動作として受け付ける（ステップＳ１１０）。上記入力動作を受け付けた旨の信号を入力部１４０から受信した制御部１７０は、当該指示動作が第１の指示動作（前方から後方へのスワイプ）か否かを判定する（ステップＳ１２０）。
【００６７】
制御部１７０は、ステップＳ１２０において上記指示動作が第１の指示動作であると判定すると、視力補正機能、調光機能、およびハイブリッド機能の順に上位階層の機能を遷移して、遷移された上位階層の機能を実行する（ステップＳ１３０）。
【００６８】
ステップＳ１３０についてより詳細に説明すると、制御部１７０は、現在設定されているモードが「視力補正・平行読書モード」であり、当該モードに対応する上位階層の機能が「視力補正機能」である旨の情報を取得する。ここで、上位階層の機能は、「視力補正機能」、「調光機能」、「ハイブリッド機能」の順序で遷移されることが記憶部１７２に予め記憶されている。そのため、制御部１７０は、記憶部１７２が記憶する上位階層の機能の遷移の順番に従って、現在実行されている上位階層の機能を「視力補正機能」から次の「調光機能」に遷移して、調光機能を実行する。上位階層の機能を「調光機能」に遷移させるとき、アイウェア１００は、上位階層の機能として「調光機能」を有するモードのいずれかに設定されればよい。例えば、表１に記載した各モードのうち、上位階層の機能として「調光機能」を有するモードとしては、モード４〜モード６の３つのモードが存在するが、このうち、上位階層の機能が変更された際に設定されるモードを予め決めておけばよい。例えば、本使用例においては、上位階層の機能が変更されて「調光機能」が選択された場合にはモード４「弱調光モード」が設定される旨が予め記憶部１７２に記憶されている。そのため、ステップＳ１３０において、制御部１７０は、弱上位階層の機能として「調光機能」を、下位階層として「弱調光機能」を実行し、これによりアイウェア１００はモード４「弱調光モード」に設定される。このように、制御部１７０が上記上位階層の機能を遷移して実行すると、処理はステップＳ１７０に遷移する。
【００６９】
一方で、制御部１７０は、ステップＳ１２０において上記指示動作が第１の指示動作ではないと判定すると、次に、上記指示動作が第２の指示動作（後方から前方へのスワイプ）であるか否かを判定する（ステップＳ１４０）。
【００７０】
制御部１７０は、ステップＳ１４０において上記指示動作が第２の指示動作であると判定すると、現在実行しているモードを取得し、現在実行している上位階層の機能に対応する下位階層の機能が複数存在するか否かを判定する（ステップＳ１５０）。
【００７１】
ステップＳ１５０についてより詳細に説明すると、まず、制御部１７０は、現在設定されているモードがモード１「視力補正・平行読書モード」であり、当該モードに対応する上位階層の機能「視力補正機能」であり、当該モードに対応する下位階層の機能「平行読書機能」である旨の情報を取得する。その後、制御部１７０は、記憶部１７２を参照して、現在実行されている上位階層の機能「視力補正機能」に関連付けられている下位階層の機能が複数存在するか否かを確認する。本実施例において、上位階層の機能「視力補正機能」に対応する下位階層の機能としては、「平行読書機能」、「中間角読書機能」、「俯角読書機能」の３つが存在するため、制御部１７０は、下位階層の機能が複数存在すると判断して、次のステップＳ１６０へ進むことになる。
【００７２】
なお、上述の例では、制御部１７０は、上位階層の機能に対応する下位階層の機能が複数存在するか否かを判断することとした。しかし、ステップＳ１５０における制御部１７０の動作はこれに限定されず、制御部１７０は、現在実行されている上位階層の機能に対応する下位階層の機能に、現在実行されている下位階層の機能以外の機能が含まれているかを判断してもよい。この場合、現在設定されている上位階層の機能に対応する下位階層の機能「平行読書機能」、「中間角読書機能」、「俯角読書機能」のうち、現在設定されている下位階層「平行読書機能」以外に、「中間角読書機能」、「俯角読書機能」が含まれているため、Ｓ１５０は肯定的な結果となり、処理は次のステップＳ１６０へ進むことになる。
【００７３】
一方で、ステップＳ１４０において上記指示動作は第２の指示動作ではないと制御部１７０が判定すると、処理はステップＳ１７０に遷移する。
【００７４】
制御部１７０は、ステップＳ１５０において現在実行している上位階層の機能に対応する下位階層の機能が複数存在すると判定すると、現在実行している上位階層の機能を実行したまま、所定の順序に従って上記下位階層の機能を遷移して、遷移された下位階層の機能を実行する。これにより、アイウェア１００のモードはモード１からモード２へと遷移する（ステップＳ１６０）。
【００７５】
ステップＳ１６０についてより詳細に説明すると、制御部１７０は、現在設定されているモードがモード１「視力補正・平行読書モード」であり、当該モードに対応する下位階層の機能が「平行読書機能」である旨の情報を取得する。ここで、モード１の上位階層の機能「視力補正機能」に対応する下位階層の機能は、第２の指示動作によって「平行読書機能」、「中間角読書機能」、「俯角読書機能」の順序で遷移されることが記憶部１７２に予め記憶されている。そのため、制御部１７０は、ステップＳ１６０において、現在設定されている下位階層の機能「平行読書機能」の次に順序づけられた下位階層の機能である「中間角読書機能」を実行する。これにより、制御部１７０は、上位階層の機能である視力補正機能を実行したまま、下位階層の機能を中間角読書機能に遷移して、中間角読書機能を実行することになる。また、これにより、アイウェア１００の設定はモード２「視力補正・中間角読書モード」に変更される。制御部１７０が上記下位階層の機能を遷移して実行すると、処理はステップＳ１７０に遷移する。
【００７６】
一方で、ステップＳ１５０において対応する下位階層の機能は複数存在しないと制御部１７０が判定すると、処理はステップＳ１７０に遷移する。
【００７７】
その後、制御部１７０は、処理を終了させる必要があるか否かについて判定する（ステップＳ１７０）。たとえば、制御部１７０は、予め定められた処理を終了させる条件が満たされているときは、処理を終了させる必要があると判定する一方、上記条件が満たされていないときは、処理を終了させる必要がないと判定する。判定の結果、処理を終了させる必要がある場合、制御部１７０は、図５における処理を終了する。一方、処理を終了させる必要がない場合、処理はステップＳ１１０の前に戻る。
【００７８】
たとえば、本使用例では、ステップＳ１２０において制御部１７０が上記指示動作は第１の指示動作であると判定したときは、制御部１７０は、ステップＳ１３０において調光機能を実行し、かつ、調光機能について初期状態で設定されている下位階層の機能である弱調光機能を実施する。そのため、制御部１７０は、感知部１６０が感知したアイウェア１００への照度に対する電気制御型レンズ１５０の透過率が、表２の「弱調光モード」に示す値となるように、電気制御型レンズ１５０の透過率を変化させる。このとき、アイウェア１００は、モード４「弱調光モード」に設定される。
【００７９】
また、ステップＳ１２０において制御部１７０が上記指示動作は第１の指示動作ではないと判定し、ステップＳ１４０において制御部１７０が上記指示動作は第２の指示動作であると判定し、ステップＳ１５０で制御部１７０が対応する下位階層の機能は複数存在すると判定したときは、制御部１７０は、ステップＳ１６０で、上位階層の機能である視力補正機能を実行したまま、下位階層の機能を中間角読書機能に遷移して、中間角読書機能を実行する。そのため、制御部１７０は、感知部１６０が感知した傾斜角度が２５°を超えたときに、屈折率可変層１５３０に電圧を印加して、電気制御型レンズ１５０の屈折率を変化させる。このとき、アイウェア１００は、モード２「視力補正・中間角読書モード」に設定される。
【００８０】
また、ステップＳ１２０において制御部１７０が上記指示動作は第１の指示動作ではないと判定し、ステップＳ１４０において制御部１７０が上記指示動作は第２の指示動作ではないと判定したときは、制御部１７０は、現在実行している上位階層の機能である視力補正機能および下位階層の機能である平行読書機能を継続して実行する。そのため、制御部１７０は、感知部１６０が感知した傾斜角度が２０°を超えたときに、屈折率可変層１５３０に電圧を印加して、電気制御型レンズ１５０の屈折率を変化させる。このとき、アイウェア１００は、モード１「視力補正・平行読書モード」に設定が維持される。
【００８１】
なお、ステップＳ１２０において制御部１７０が上記指示動作は第１の指示動作ではないと判定し、ステップＳ１４０において制御部１７０が上記指示動作は第２の指示動作であると判定し、ステップＳ１５０で制御部１７０が対応する下位階層の機能は複数存在しないと判定したときも、制御部１７０は、現在実行している上位階層の機能および下位階層の機能である平行読書機能を継続して実行する。このときも、アイウェア１００は、モード１「視力補正・平行読書モード」に設定が維持される。
【００８２】
本実施形態によれば、少ない入力で、かつ簡易な操作により、アイウェア１００の制御部１７０に複数の機能を実行させることが可能である。これにより、使用者は、各自の好みや適性にあったモード（設定）でアイウェア１００を使用することが容易である。
【００８３】
（アイウェアの変形使用例）
制御部１７０は、上記使用例では第１の指示動作および第２の指示動作の有無によって、各階層の機能のうち予め定められた順番で遷移された一つを選択的に実行していたが、第１の指示動作および第２の指示動作の動作量に対応させて予め定められた各階層の機能を選択的に実行してもよい。
【００８４】
図６は、指示動作の動作量をも識別可能な入力部１４０を有するアイウェア１００を装着した使用者が、アイウェア１００の制御部１７０が実行する上記階層の機能および下位階層の機能を決定し、当該機能を実行させるときの、アイウェア１００の動作例を示すフローチャートである。図６に示す動作は、たとえば、電源１８０の取り付けによって制御部１７０および感知部１６０がオン状態になることにより開始される。
【００８５】
以下の説明において、図６に示すフローを開始するときに、アイウェア１００は、モード１「視力補正・平行読書モード」に設定されていると仮定する。つまり、制御部１７０は、上位階層の機能として視力補正機能を、下位階層の機能として平行読書機能を、それぞれ実行していると仮定する。
【００８６】
このとき、上記ステップＳ１１０において、入力部１４０は、使用者の指の接触などによるタッチセンサの静電容量の変化など（入力動作の有無）を検出して受け付け、かつ、静電容量が変化したタッチセンサの数（入力動作の動作量）も検出して受け付ける。上記入力動作を受け付けた旨の信号を入力部１４０から受信した制御部１７０は、まず、当該指示動作が第１の指示動作（前方から後方へのスワイプ）か否かを判定する（ステップＳ１２０）。
【００８７】
ステップＳ１２０において制御部１７０が上記指示動作は第１の指示動作であると判定したとき、制御部１７０はさらに、受信した信号に含まれる動作量（移動量）が、予め３段階に設定した移動量のいずれに該当するかを識別する（ステップＳ１２５）。
【００８８】
その後、制御部１７０は、識別した動作量（移動量）に対応する上位階層の機能を実行する（ステップＳ１３０ａ）。
【００８９】
ステップＳ１３０ａについてより詳細に説明すると、制御部１７０は、現在設定されているモードがモード１「視力補正・平行読書モード」であり、当該モードに対応する上位階層の機能が「視力補正機能」である旨の情報を取得する。ここで、上位階層の機能は、第１の指示動作の移動量に対応して「視力補正機能」、「調光機能」、「ハイブリッド機能」のいずれかが実行されることが記憶部１７２に予め記憶されている。
【００９０】
そのため、制御部１７０は、ステップＳ１３０ａにおいて、識別した移動量が３段階のうち「１」（最も小さい）であるときは上位階層の機能である視力補正機能をそのまま実行する。つまり、制御部１７０は、上位階層の機能である視力補正機能および下位階層の機能である平行読書機能をいずれも変更せずに実行し続ける。このとき、アイウェア１００の設定はモード１「視力補正・平行読書モード」のまま変更されない。
【００９１】
一方で、制御部１７０は、ステップＳ１３０ａにおいて、識別した移動量が３段階のうち「２」（やや小さい）であるときは上位階層の機能である調光機能を実行する。このとき、アイウェア１００は、上位階層の機能として「調光機能」を有するモードのいずれかに設定されればよい。例えば、表１に記載した各モードのうち、上位階層の機能として「調光機能」を有するモードとしては、モード４〜モード６の３つのモードが存在するが、このうち、上位階層の機能が変更された際に設定されるモードを予め決めておけばよい。例えば、本使用例においては、上位階層の機能が変更されて「調光機能」が選択された場合にはモード４「弱調光モード」が設定される旨が予め記憶部１７２に記憶されている。そのため、ステップＳ１３０ａにおいて、制御部１７０は、上位階層の機能として「調光機能」を、下位階層として「弱調光機能」を実行し、これによりアイウェア１００はモード４「弱調光モード」に設定される。
【００９２】
また、制御部１７０は、ステップＳ１３０ａにおいて、識別した移動量が３段階のうち「３」（最も大きい）であるときは上位階層の機能であるハイブリッド機能を実行する。このとき、アイウェア１００は、上位階層の機能として「ハイブリッド機能」を有するモードのいずれかに設定されればよい。例えば、表１に記載した各モードのうち、上位階層の機能として「ハイブリッド機能」を有するモードとしては、モード７〜モード９の３つのモードが存在するが、このうち、上位階層の機能が変更された際に設定されるモードを予め決めておけばよい。例えば、本使用例においては、上位階層の機能が変更されて「ハイブリッド機能」が選択された場合にはモード７「ハイブリッド・弱調光モード」が設定される旨が予め記憶部１７２に記憶されている。そのため、ステップＳ１３０ａにおいて、制御部１７０は、上位階層の機能として「ハイブリッド機能」を、下位階層として「ハイブリッド・弱調光機能」を実行し、これによりアイウェア１００はモード７「ハイブリッド・弱調光モード」に設定される。
【００９３】
このように、制御部１７０が上記上位階層の機能を遷移して実行すると、処理はステップＳ１７０に遷移する。
【００９４】
一方で、ステップＳ１２０において制御部１７０が上記指示動作は第１の指示動作ではないと判定し、ステップＳ１４０において制御部１７０が上記指示動作は第２の指示動作であると判定し、ステップＳ１５０で制御部１７０が対応する下位階層の機能は複数存在すると判定したとき、制御部１７０はさらに、受信した信号に含まれる動作量（移動量）が、予め３段階に設定した移動量のいずれに該当するかを識別する（ステップＳ１５５）。
【００９５】
その後、制御部１７０は、現在実行している上位階層の機能を実行したまま、識別した動作量（移動量）に対応する下位階層の機能を実行する（ステップＳ１６０ａ）。
【００９６】
ステップＳ１６０ａについてより詳細に説明すると、制御部１７０は、現在設定されているモードがモード１「視力補正・平行読書モード」であり、当該モードに対応する下位階層の機能が「平行読書機能」である旨の情報を取得する。ここで、モード１の上位階層の機能「視力補正機能」に対応する下位階層の機能は、第２の指示動作の移動量に対応して「平行読書機能」、「中間角読書機能」、「俯角読書機能」のいずれかが実行されることが記憶部１７２に予め記憶されている。
【００９７】
そのため、制御部１７０は、ステップＳ１６０ａにおいて、識別した移動量が３段階のうち「１」（最も小さい）であるときは下位階層の機能である平行読書機能を実行する。つまり、制御部１７０は、上位階層の機能である視力補正機能および下位階層の機能である平行読書機能をいずれも変更せずに実行し続ける。このとき、アイウェア１００の設定はモード１「視力補正・平行読書モード」のまま変更されない。
【００９８】
一方で、制御部１７０は、ステップＳ１６０ａにおいて、識別した移動量が３段階のうち「２」（やや小さい）であるときは下位階層の機能である中間角読書機能を実行する。これにより、制御部１７０は、上位階層の機能である視力補正機能を実行したまま、下位階層の機能である中間角読書機能を実行することになる。また、これにより、アイウェア１００の設定はモード２「視力補正・中間角読書モード」に変更される。
【００９９】
また、制御部１７０は、ステップＳ１６０ａにおいて、識別した移動量が３段階のうち「３」（最も大きい）であるときは下位階層の機能である俯角読書機能を実行する。これにより、制御部１７０は、上位階層の機能である視力補正機能を実行したまま、下位階層の機能である俯角読書機能を実行することになる。また、これにより、アイウェア１００の設定はモード３「視力補正・俯角読書モード」に変更される。
【０１００】
同様に、現在実行している上位階層の機能が調光機能であるとき、制御部１７０は、上位階層の機能である調光機能を実行したまま、識別した移動量が３段階のうち「１」（最も小さい）であるときは下位階層の機能である強調光機能を、「２」（やや小さい）であるときは下位階層の機能である中調光機能を、「３」（最も大きい）であるときは下位階層の機能である弱調光機能を、それぞれ実行する。これにより、アイウェア１００の設定は、それぞれモード４「弱調光モード」、モード５「中調光モード」、およびモード６「強調光モード」に変更される。
【０１０１】
同様に、現在実行している上位階層の機能がハイブリッド機能であるとき、制御部１７０は、上位階層の機能であるハイブリッド機能を実行したまま、識別した移動量が３段階のうち「１」（最も小さい）であるときは下位階層の機能であるハイブリッド・強調光機能を、「２」（やや小さい）であるときは下位階層の機能であるハイブリッド・中調光機能を、「３」（最も大きい）であるときは下位階層の機能であるハイブリッド・弱調光機能を、それぞれ実行する。これにより、アイウェア１００の設定は、それぞれモード７「ハイブリッド・弱調光モード」、モード８「ハイブリッド・中調光モード」、およびモード９「ハイブリッド・強調光モード」に変更される。
【０１０２】
なお、本変形使用例では、第１の指示動作による上位階層の機能の実行および第２の指示動作による下位階層の機能の実行の双方を動作量に対応させる態様を説明したが、第１の指示動作による上位階層の機能の実行のみを動作量に対応させてもよいし、第２の指示動作による下位階層の機能の実行のみを動作量に対応させてもよい。
【０１０３】
また、本変形使用例において、入力部１４０の模式的な断面図である図７に示すように、指示動作の動作量（移動量）を触覚によって識別できるようにするため、入力部１４０は、入力部１４０に沿った指の移動量を使用者が識別可能とするが、一方で前方から後方および後方から前方への指の移動を妨げない形状の凸部を有していてもよい。
【０１０４】
図７において、入力部１４０は、使用者が触覚により識別可能であるが、入力部１４０の端部よりも高さが低いため指の移動を妨げない、２つの凸部１４０ａおよび１４０ｂを有する。また、入力部１４０は、入力部１４０の端部、凸部１４０ａおよび１４０ｂを境界とする、第１の動作領域１４１０、第２の動作領域１４２０および第３の動作領域１４３０を有する。それぞれの領域には独立したタッチセンサ１４１０ａ、１４２０ａおよび１４３０ａが設けられている。
【０１０５】
使用者が３段階のうち「１」の指示動作を行いたいときは、入力部１４０の前方端部から、最初の凸部１４０ａに指が当接するまで、指を滑らせればよい。同様に、使用者が３段階のうち「２」の指示動作を行いたいときは、入力部１４０の前方端部から、２番目の凸部１４０ｂに指が当接するまで、指を滑らせればよい。また、使用者が３段階のうち「３」の指示動作を行いたいときは、入力部１４０の前方端部から、入力部１４０の後方端部まで、指を滑らせればよい。このように、図７に示す入力部１４０は、使用者による指示動作の移動量の調整を容易にする。
【０１０６】
本変形使用例によれば、より少ない入力で、かつ簡易な操作により、アイウェア１００に複数の機能を実行させることが可能である。そのため、本変形使用例においても、使用者は、各自の好みや適性にあったモード（設定）でアイウェア１００を使用することが容易である。
【０１０７】
（第１の実施形態の変形例）
上記説明では、前方から後方へのスワイプを第１の指示動作、後方から前方へのスワイプを第２の指示動作、としたが、これらの指示動作の方向は逆でもかまわない。つまり、後方から前方へのスワイプを第１の指示動作とし、前方から後方へのスワイプを第２の指示動作としてもよい。
【０１０８】
また、上記説明では、タッチセンサである入力部１４０に沿ったスワイプを指示動作としたが、指示動作はこれらに限定されず、タップなどを第１の指示動作または第２の指示動作に対応させてもよい。
【０１０９】
また、上記説明に用いた上位階層の機能および下位階層の機能は、あくまでも例示であり、制御部１７０が実行する機能はこれらに限定されない。
【０１１０】
たとえば、上記説明では、ハイブリッド機能では透過率のみが変更可能となっており、透過率の変化パターンが異なる複数の下位階層の機能が設定されていた。しかし、ハイブリッド機能で屈折率のみを変更可能として、屈折率の変化パターンが異なる複数の下位階層の機能を設定してもよいし、透過率および屈折率の双方を変更可能として、透過率および屈折率のいずれかまたは双方の変化パターンが異なる複数の下位階層の機能を設定してもよい。
【０１１１】
また、上記説明では、第１の指示動作によって、視力補正機能、調光機能、およびハイブリッド機能がこの順に遷移して実行されていたが、第１の指示動作による遷移の順番はこの順番には限定されない。
【０１１２】
また、制御部１７０は、上記説明した３つ以外の上位階層の機能を実行可能であってもよい。たとえば、制御部１７０は、第１の指示動作により、センサなどの一部の機能部にのみ電源供給がされるスリープ機能や、略全ての機能部に電源供給がされないオフ機能などを実行可能であってもよい。これらの機能には、第２の指示動作によって変更される変化条件を設けなくてもよいし、入力部１４０による指示動作の受け付けまたは感知部１６０による傾斜角度または照度の検知が所定時間なされないときに制御部１７０がスリープ機能またはオフ機能に自動で遷移するように構成して、制御部１７０がこれらの機能に遷移するまでの待機時間（変化条件）を第２の指示動作によって変更可能としてもよい。
【０１１３】
たとえば、上記スリープ機能またはオフ機能は、下位階層の機能として、入力部１４０による指示動作の受け付けまたは感知部１６０による傾斜角度または照度の検知がなされない待機時間が１分であるときに自動でスリープ機能またはオフ機能に遷移する短時間オフ機能、上記待機時間が３分であるときに自動でスリープ機能またはオフ機能に遷移する中間時間オフ機能、および待機時間が５分であるときに自動でスリープ機能またはオフ機能に遷移する長時間オフ機能、を有してもよい。
【０１１４】
また、制御部１７０が実行可能な上位階層の機能および下位階層の機能は、上記説明した機能には限定されない。制御部１７０は、他の上位階層の機能または下位階層の機能を実行可能でもよいし、上記説明した上位階層の機能および下位階層の機能の一部のみを実行可能でもよい。また、制御部１７０は、第１の指示動作によって１個の上位階層の機能を実行および停止（オンオフ）し、第２の指示動作によって上記実行している上位階層の機能に対応する下位階層の機能を実行可能であってもよい。
【０１１５】
また、感知部１６０は、上記上位階層の機能および下位階層の機能を実行するために用いる変化条件を検出可能であればよく、アイウェア１００の位置を測定可能なＧｌｏｂａｌ  Ｐｏｓｉｔｉｏｎｉｎｇ  Ｓｙｓｔｅｍ（ＧＰＳ）などの位置検出センサ、Ｂｌｕｅｔｏｏｔｈ（「Ｂｌｕｅｔｏｏｔｈ」はＢｌｕｅｔｏｏｔｈ  ＳＩＧの登録商標）などでスマートフォンなどの所定のモバイル機器と接続可能な通信モジュール、自然光と蛍光灯からの光とを識別して感知するためのカメラなどの撮像素子、アイウェア１００の移動状態またはアイウェア１００を装着した使用者の姿勢などの状態を感知するための加速度センサ、角速度センサまたはジャイロセンサなどであってもよい。
【０１１６】
また、上記第１の指示動作および第２の指示動作は、アイウェア１００を装着した使用者からの指示動作ではなくてもよく、アイウェア１００の近傍にいる非装着者からの指示動作であってもよい。
【０１１７】
［第２の実施形態］
（アイウェア）
本発明の第２の実施形態に係るアイウェアは、図１および図２に示すアイウェア１００において、感知部１６０がＢｌｕｅｔｏｏｔｈ（「Ｂｌｕｅｔｏｏｔｈ」はＢｌｕｅｔｏｏｔｈ  ＳＩＧの登録商標）などでスマートフォンなどの所定のモバイル機器と接続可能な通信モジュールをさらに有する点、ならびに入力部１４０および制御部１７０の構成のみが、第１の実施形態と異なる。そのため、以下では、入力部１４０および制御部１７０の構成および使用例のみを説明して、第１の実施形態と重複する構成要素については、説明を省略する。
【０１１８】
本実施形態においても、入力部１４０は、テンプル１２０ａの前方から後方に向けて列状に配置された複数のタッチセンサであり、上記複数のタッチセンサに沿って前方から後方へスワイプする第１の指示動作と、上記第１の方向とは略反対方向である、上記複数のタッチセンサに沿って後方から前方へスワイプする第２の指示動作と、スワイプせずに上記複数のタッチセンサのいずれかをタップする第３の指示動作と、を識別して受け付ける。
【０１１９】
制御部１７０は、入力部１４０が受け付けた入力動作が第１の指示動作、第２の指示動作または第３の指示動作のいずれかであるか否かを判定し、上記入力動作が第１の指示動作、第２の指示動作または第３の指示動作のいずれかであるとき、階層構造を有する機能体系に含まれる、指示動作に対応する各階層の機能を実行して、上記電気制御型レンズ１５０の光学特性を変化させる。
【０１２０】
本実施形態において、アイウェア１００は、表３に示す６つのモードのいずれかに、その設定を変更され得る。
【０１２１】
【表３】
2018155392.tif 000005
【０１２２】
モード１〜モード３は、制御部１７０が、上位階層の機能として視力補正機能を実行するモードである。視力補正機能は、使用者が読書をしたりスマートフォンを操作したりするなど、使用者が近距離の対象物に焦点を合わせるときに、電気制御型レンズ１５０の屈折率を制御部１７０が自動に変化させて使用者が近距離の対象物に焦点を合わせるための視力補正を行い得る機能である。
【０１２３】
モード１（視力補正・読書モード）は、使用者が読書するときに電気制御型レンズ１５０の屈折率を自動で変化させるモードである。このとき、制御部１７０は、上位階層の機能として視力補正機能を実行し、中位階層の機能として変化条件が満たされたときに制御部１７０が自動で電気制御型レンズ１５０の屈折率を変化させる、オート機能を実行し、かつ、下位階層の機能として、感知部１６０が感知したアイウェア１００の傾斜角度が所定の値（たとえば、２５°）になったときに電気制御型レンズ１５０の屈折率を変化させる、読書機能を実行する。
【０１２４】
モード２（視力補正・モバイルモード）は、使用者がスマートフォンなどを操作するときに、頭を下方に少し傾けながらの読書やスマートフォンの操作を可能とするモードである。このとき、制御部１７０は、上位階層の機能として視力補正機能を実行し、中位階層の機能として、モード１と同様のオート機能を実行し、かつ、下位階層の機能として、感知部１６０である上記通信モジュールが上記所定のモバイル機器と接続することにより、所定のモバイル機器が近傍にあると制御部１７０が判定したときに、電気制御型レンズ１５０の屈折率を変化させる、モバイル機能を実行する。
【０１２５】
モード３（視力補正・マニュアルモード）は、使用者からの入力操作によって電気制御型レンズ１５０の屈折率を変化させ、使用者が屈折率を変化させたいときにのみ電気制御型レンズ１５０の屈折率を変化させるモードである。例えば、モード３において、制御部１７０は、使用者がタッチセンサに第１の指示動作〜第３の指示動作以外の方法で接触したことを検知して、電気制御型レンズ１５０の屈折率を変化させる。このとき、制御部１７０は、上位階層の機能として視力補正機能を実行し、かつ、中位階層の機能として、使用者からの入力操作が受け付けられたときに電気制御型レンズ１５０の屈折率を変化させる、マニュアル機能を実行する。なお、モード３には下位階層の機能は存在しないので、制御部１７０は、モード３においては下位階層の機能を実行しない。
【０１２６】
モード４〜モード６は、制御部１７０が、上位階層の機能として視力補正調光機能を実行するモードである。視力補正調光機能は、変更条件が満たされたときに、電気制御型レンズ１５０の屈折率または透過率を制御部１７０がそれぞれ自動に変化させて視力補正および調光を独立して行い得る機能である。
【０１２７】
モード４（視力補正調光・屋内モード）は、使用者が屋内で読書をするときなどにあわせて、電気制御型レンズ１５０の屈折率および透過率を制御部１７０が変化させるモードである。このとき、制御部１７０は、上位階層の機能として視力補正調光機能を実行し、中位階層の機能として、モード１と同様のオート機能を実行し、かつ、下位階層の機能として、電気制御型レンズ１５０の透過率を、たとえば表２に示す中調光モードに応じてアイウェア１００への光の照度に対応する値に変化させ、かつ傾斜角度が所定の値（たとえば２５°）になったときに電気制御型レンズ１５０の屈折率を変化させる、屋内機能を実行する。
【０１２８】
モード５（視力補正調光・屋外モード）は、使用者が屋外で活動をするときなどにあわせて、電気制御型レンズ１５０の透過率を制御部１７０が変化させるモードである。このとき、制御部１７０は、上位階層の機能として視力補正調光機能を実行し、中位階層の機能として、モード１と同様のオート機能を実行し、かつ、下位階層の機能として、電気制御型レンズ１５０の透過率をアイウェア１００への光の照度に対応する値に変化させるが、傾斜角度に対応して電気制御型レンズ１５０の屈折率は変化させない、屋外機能を実行する。
【０１２９】
モード６（視力補正調光・マニュアルモード）は、使用者からの入力操作によって電気制御型レンズ１５０の透過率を変化させ、使用者が透過率を変化させたいときにのみ電気制御型レンズ１５０の透過率を変化させるモードである。このとき、制御部１７０は、上位階層の機能として視力補正調光機能を実行し、かつ、中位階層の機能として、モード３と同様のマニュアル機能を実行する。なお、モード６には下位階層の機能は存在しないので、制御部１７０は、モード６においては下位階層の機能を実行しない。
【０１３０】
さらに、制御部１７０は、入力部１４０が第１の指示動作を受け付けたときに、上記上位階層の機能のいずれかを選択的に実行し、入力部１４０が第２の指示動作を受け付けたときに、上記中位階層の機能のいずれかを選択的に実行し、入力部１４０が第３の指示動作を受け付けたときに、上記下位階層の機能のいずれかを選択的に実行する。これにより、制御部１７０は、アイウェア１００の設定が実現されるモードを容易に変更可能である。
【０１３１】
このとき、制御部１７０は、第１の指示動作によって、上記上位階層の機能を順に遷移して実行してもよいし、第１の指示動作の内容（たとえば入力動作の動作量）に対応させて予め定められた一つの上記上位階層の機能を実行してもよい。
【０１３２】
また、制御部１７０は、第２の指示動作によって、上記中位階層の機能を順に遷移して実行してもよいし、第２の指示動作の内容（たとえば入力動作の動作量）に対応させて予め定められた一つの上記中位階層の機能を実行してもよい。
【０１３３】
また、制御部１７０は、第３の指示動作によって、上記下位階層の機能を順に遷移して実行してもよいし、第３の指示動作の内容（たとえば入力動作の動作量）に対応させて予め定められた一つの上記下位階層の機能を実行してもよい。
【０１３４】
（アイウェアの使用例）
図８は、本実施形態に係るアイウェア１００を装着した使用者が、アイウェア１００の制御部１７０が実行する上記階層の機能および下位階層の機能を決定し、制御部１７０に当該機能を実行させるときの、アイウェア１００の動作例を示すフローチャートである。図８に示す動作は、たとえば、電源１８０の取り付けによって入力部１４０、制御部１７０および感知部１６０がオン状態になることにより開始される。
【０１３５】
以下の説明において、図８に示すフローを開始するときに、アイウェア１００は、モード１「視力補正・読書モード」に設定されていると仮定する。つまり、制御部１７０は上位階層の機能として視力補正機能を、中位階層の機能としてオート機能を、下位階層の機能として読書機能を、それぞれ実行していると仮定する。
【０１３６】
まず、入力部１４０は、使用者の指の接触などによるタッチセンサの静電容量の変化を検出して、入力動作として受け付ける（ステップＳ２１０）。上記入力動作を受け付けた旨の信号を入力部１４０から受信した制御部１７０は、当該指示動作が第１の指示動作（前方から後方へのスワイプ）か否かを判定する（ステップＳ２２０）。
【０１３７】
制御部１７０は、ステップＳ２２０において上記指示動作が第１の指示動作であると判定すると、上位階層の機能を遷移して、遷移された上位階層の機能を実行する（ステップＳ２３０）。
【０１３８】
ステップＳ２３０についてより詳細に説明すると、制御部１７０は、現在設定されているモードが「視力補正・読書モード」であり、当該モードに対応する上位階層の機能が「視力補正機能」である旨の情報を取得する。ここで、上位階層の機能は、「視力補正機能」、「視力補正調光機能」の順序で遷移されることが記憶部１７２に予め記憶されている。そのため、記憶部１７２が記憶する上位階層の機能の遷移の順番に従って、現在実行されている上位階層の機能を「視力補正機能」から次の「視力補正調光機能」に遷移して、視力補正調光機能を実行する。上位階層の機能を「視力補正調光機能」に遷移させるとき、アイウェア１００は、上位階層の機能として「視力補正調光機能」を有するモードいずれかに設定されればよい。例えば、表３に記載した各モードのうち、上位階層の機能として「視力補正調光機能」を有するモードとしては、モード４〜モード６の３つのモードが存在するが、このうち、上位階層の機能が変化した際に設定されるモードを予め決めておけばよい。本使用例においては、上位階層の機能が変化して「視力補正調光機能」が選択された場合にはモード４「視力補正調光・屋内モード」が設定される旨が予め記憶部１７２に記憶されている。そのため、ステップＳ２３０において、制御部１７０は、上位階層の機能として「視力補正調光機能」を、下位階層として「屋内機能」を実行し、これによりアイウェア１００はモード４「視力補正調光・屋内モード」に設定される。このように、制御部１７０が上記上位階層の機能を遷移して実行すると、処理はステップＳ３００に遷移する。
【０１３９】
一方で、制御部１７０は、ステップＳ２２０において上記指示動作が第１の指示動作ではないと判定すると、次に、上記指示動作が第２の指示動作（後方から前方へのスワイプ）であるか否かを判定する（ステップＳ２４０）。
【０１４０】
制御部１７０は、ステップＳ２４０において上記指示動作が第２の指示動作であると判定すると、現在実行している上位階層の機能に対応するモードを取得し、現在実行している中位階層の機能が複数存在するか否かを判定する（ステップＳ２５０）。
【０１４１】
ステップＳ２５０についてより詳細に説明すると、まず、制御部１７０は、現在設定されているモードがモード１「視力補正・読書モード」であり、当該モードに対応する上位階層の機能が「視力補正機能」であり、当該モードに対応する中位階層の機能が「オート機能」である旨の情報を取得する。そして、現在実行されている上位階層の機能「視力補正機能」に関連付けられている中位階層の機能が複数存在するか否かを確認する。本使用例において、上位階層の機能「視力補正機能」に対応する中位階層の機能としては、「オート機能」および「マニュアル機能」の２つが存在するため、制御部１７０は、下位階層の機能が複数存在すると判断して、次のステップＳ２６０へ進むことになる。
【０１４２】
このときも、第１の実施形態と同様に、制御部１７０は、現在実行されている上位階層の機能に対応する下位階層の機能に、現在実行されている中位階層の機能以外の機能が含まれているかを判断してもよい。この場合、現在設定されている上位階層の機能に対応する中位階層の機能「オート機能」、「マニュアル機能」のうち、現在設定されている中位階層「オート機能」以外に、「マニュアル機能」が含まれているため、Ｓ２５０は肯定的な結果となり、処理は次のステップＳ２６０へ進むことになる。
【０１４３】
ステップＳ２６０についてより詳細に説明すると、制御部１７０は、現在設定されているモードがモード１「視力補正・読書モード」であり、当該モードに対応する中位階層の機能が「オート機能」である旨の情報を取得する。ここで、モード１の上位階層の機能「視力補正機能」に対応する中位階層の機能は、第２の指示動作によって「オート機能」、「マニュアル機能」の順序で遷移されることが記憶部１７２に予め記憶されている。そのため、制御部１７０は、ステップＳ２６０において、現在設定されている中位階層の機能「オート機能」の次に順序づけられた中位階層の機能である「マニュアル機能」を実行する。これにより、制御部１７０は、上位階層の機能である視力補正機能を実行したまま、中位階層の機能をマニュアル機能に遷移して、マニュアル機能を実行することになる。また、これにより、アイウェア１００の設定はモード３「視力補正・マニュアルモード」に変更される。制御部１７０が上記中位階層の機能を遷移して実行すると、処理はステップＳ３００に遷移する。
【０１４４】
なお、このときも中位階層の機能が変化した際に設定されるモードを予め決めておいてもよい。例えば、上記階層の機能として「視力補正機能」が実行されているときに、中位階層の機能が「マニュアル機能」から「オート機能」に変更された場合には、モード１「視力補正・読書モード」が設定される旨が予め記憶部１７２に記憶されており、ステップＳ２６０において、モード１「視力補正・読書モード」が設定され、上位階層の機能として「視力補正機能」が、中位階層の機能として「オート機能」が、下位階層の機能として「読書機能」が、それぞれ実行される。
【０１４５】
一方で、ステップＳ２５０において対応する中位階層の機能は存在しないと制御部１７０が判定すると、処理はステップＳ３００に遷移する。
【０１４６】
また、ステップＳ２４０において上記指示動作は第２の指示動作ではないと制御部１７０が判定すると、制御部１７０は、次に、上記指示動作が第３の指示動作（移動を伴わないタップ）であるか否かを判定する（ステップＳ２７０）。
【０１４７】
制御部１７０は、ステップＳ２７０において上記指示動作が第３の指示動作であると判定すると、現在実行している中位階層の機能に対応する下位階層の機能が複数存在するか否かを判定する（ステップＳ２８０）。
【０１４８】
ステップＳ２８０についてより詳細に説明すると、まず、制御部１７０は、現在設定されているモードがモード１「視力補正・読書モード」であり、当該モードに対応する上位階層の機能が「視力補正機能」であり、当該モードに対応する中位階層の機能が「オート機能」であり、当該モードに対応する下位階層の機能が「読書機能」である旨の情報を取得する。そして、現在実行されている上位階層の機能「視力補正機能」および中位階層の機能「オート機能」に関連付けられている下位階層の機能が複数存在するか否かを確認する。本使用例において、上位階層の機能「視力補正機能」および中位階層の機能「オート機能」に対応する下位階層の機能としては、「読書機能」および「モバイル機能」の２つが存在するため、制御部１７０は、下位階層の機能が複数存在すると判断して、次のステップＳ２９０へ進むことになる。
【０１４９】
このときも、第１の実施形態と同様に、制御部１７０は、現在実行されている中位階層の機能に対応する下位階層の機能に、現在実行されている下位階層の機能以外の機能が含まれているかを判断してもよい。この場合、現在設定されている上位階層の機能および中位階層の機能に対応する下位階層の機能「読書機能」、「モバイル機能」のうち、現在実行されている下位階層「読書機能」以外に、「モバイル機能」が含まれているため、Ｓ２８０は肯定的な結果となり、処理は次のステップＳ２９０へ進むことになる。
【０１５０】
制御部１７０は、ステップＳ２８０において現在実行している中位階層の機能に対応する下位階層の機能が複数存在すると判定すると、現在実行している上位階層の機能および中位階層の機能を実行したまま、所定の順序に従って上記下位階層の機能を遷移して、遷移された下位階層の機能を実行する。つまり、設定モードがモード１からモード２へと遷移することになる（ステップＳ２９０）。本使用例では、フロー開始時に、制御部１７０は、上位階層の機能として視力補正機能を、中位階層の機能としてオート機能を、下位階層の機能として読書機能を、それぞれ実行しており、アイウェア１００はモード１に設定されている。ここで、モード１の上位階層の機能「視力補正機能」および中位階層の機能「オート機能」に対応する下位階層の機能は、第３の指示動作によって「読書機能」、「モバイル機能」の順序で遷移されることが記憶部１７２に予め記憶されている。そのため、制御部１７０は、ステップＳ２９０において、上位階層の機能である視力補正機能および中位階層の機能であるオート機能を実行したまま、下位階層の機能をモバイル機能に遷移して実行する。また、これにより、アイウェア１００の設定はモード２「視力補正・モバイルモード」に変更される。制御部１７０が上記下位階層の機能を遷移して実行すると、処理はステップＳ３００に遷移する。
【０１５１】
一方で、ステップＳ２８０において対応する下位階層の機能は複数存在しないと制御部１７０が判定すると、処理はステップＳ３００に遷移する。
【０１５２】
また、ステップＳ２７０において上記指示動作は第３の指示動作ではないと制御部１７０が判定すると、処理はステップＳ３００に遷移する。
【０１５３】
その後、制御部１７０は、処理を終了させる必要があるか否かについて判定する（ステップＳ３００）。たとえば、制御部１７０は、予め定められた処理を終了させる条件が満たされているときは、処理を終了させる必要があると判定する一方、上記条件が満たされていないときは、処理を終了させる必要がないと判定する。判定の結果、処理を終了させる必要がある場合、制御部１７０は、図８における処理を終了する。一方、処理を終了させる必要がない場合、処理はステップＳ２１０の前に戻る。
【０１５４】
本実施形態によれば、階層構造を有する機能体系の各階層に対応する指示動作を増やしていくことで、より多層の階層構造を有する機能体系に属する各機能でも、少ない入力で、かつ簡易な操作により、アイウェア１００の制御部１７０に実行させることが可能である。そのため、本実施形態においても、使用者は、各自の好みや適性にあったモード（設定）でアイウェア１００を使用することが容易である。
【０１５５】
（第２の実施形態の変形例）
本実施形態においても、上述した第１の実施形態の変形例と同様に、複数のタッチセンサからなる入力部１４０を、第１の指示動作および第２の指示動作のそれぞれについて、指示動作の動作量をも検出可能として、制御部１７０は、第１の指示動作および第２の指示動作の動作量に対応して定められた一つの上位階層の機能または下位階層の機能を実行してもよい。
【０１５６】
また、本実施形態においても、上記説明に用いた上位階層の機能、中位階層の機能および下位階層の機能は、あくまでも例示であり、制御部１７０が実行する機能はこれらに限定されない。たとえば、制御部１７０は、第１の実施形態において説明した各機能を実行可能であってもよい。
【０１５７】
また、制御部１７０は、上記説明した２つ以外の上位階層の機能を実行可能であってもよい。たとえば、制御部１７０は、第１の指示動作により、第１の実施形態で説明した調光機能、センサなどの一部の機能部にのみ電源供給がされるスリープ機能や、略全ての機能部に電源供給がされないオフ機能などを実行可能であってもよい。
【０１５８】
また、制御部１７０は、第１の指示動作〜第３の指示動作とは異なる第４の指示動作（たとえば、スワイプせずに連続して２回タップする動作）によって、上述した第１の実施形態における下位階層の各機能を実行可能であってもよい。
【０１５９】
また、本実施形態においても、制御部１７０が実行可能な上位階層の機能および下位階層の機能は、上記説明した機能には限定されない。制御部１７０は、他の上位階層の機能または下位階層の機能を実行可能でもよいし、上記説明した上位階層の機能および下位階層の機能の一部のみを実行可能でもよい。また、制御部１７０は、第１の指示動作によって１個の上位階層の機能を実行および停止（オンオフ）し、第２の指示動作によって上記実行している上位階層の機能に対応する下位階層の機能を実行可能であってもよい。
【０１６０】
また、本実施形態においても、感知部１６０は、上記上位階層の機能および下位階層の機能を実行するために用いる変化条件を検出可能であればよく、アイウェア１００の位置を測定可能なＧｌｏｂａｌ  Ｐｏｓｉｔｉｏｎｉｎｇ  Ｓｙｓｔｅｍ（ＧＰＳ）などの位置検出センサ、Ｂｌｕｅｔｏｏｔｈ（「Ｂｌｕｅｔｏｏｔｈ」はＢｌｕｅｔｏｏｔｈ  ＳＩＧの登録商標）などでスマートフォンなどの所定のモバイル機器と接続可能な通信モジュール、自然光と蛍光とを識別して感知するためのカメラなどの撮像素子、アイウェア１００の移動状態またはアイウェア１００を装着した使用者の姿勢などの状態を感知するための加速度センサ、角速度センサまたはジャイロセンサなどであってもよい。
【０１６１】
また、本実施形態においても、上記第１の指示動作および第２の指示動作は、アイウェア１００を装着した使用者からの指示動作ではなくてもよく、アイウェア１００の近傍にいる非装着者からの指示動作であってもよい。
【０１６２】
［その他の実施形態］
なお、上述の実施形態はそれぞれ本発明の一例を示すものであり、本発明は上述の実施形態に限定されるものではなく、本発明の思想の範囲内において、他の種々多様な実施形態も可能であることは言うまでもない。
【０１６３】
たとえば、上記第１の実施形態および第２の実施形態では、アイウェア１００は、複数の指示動作を受け付け可能な単一の入力部１４０を有していたが、入力部は、フレームの複数個所に配置されてもよい。このとき、制御部は、上記複数個所に配置された複数の入力部が受け付ける同一の指示動作によって、いずれも同一の階層の機能を実行してもよいし、受け付ける指示動作によって、入力部ごとに異なる階層の機能を実行してもよい。
【０１６４】
たとえば、図９に示すアイウェア２００では、２つの入力部１４２ａおよび１４２ｂが、一対のテンプル１２０ａおよび１２０ｂのそれぞれに配置されている。このとき、右側のテンプル１２０ａに配置された入力部１４２ａを構成する複数のタッチセンサに沿ってスワイプする入力動作を、移動の方向を問わずに、上記第１の実施形態および第２の実施形態における第１の指示動作としてもよい。このとき、左側のテンプル１２０ｂに配置された入力部１４２ｂを構成する複数のタッチセンサに沿ってスワイプする入力動作を、移動の方向を問わずに、上記第１の実施形態および第２の実施形態における第２の指示動作とすることができる。
【０１６５】
また、図９に示すアイウェア２００において、入力部１４２ａおよび１４２ｂのいずれを構成する複数のタッチセンサに沿って前方から後方へスワイプする入力動作を、入力部１４２ａまたは１４２ｂのいずれかに対する入力動作であるかを問わずに、上記第１の実施形態および第２の実施形態における第１の指示動作としてもよい。このとき、入力部１４２ａおよび１４２ｂのいずれかを構成する複数のタッチセンサに沿って後方から前方へスワイプする入力動作を、入力部１４２ａまたは１４２ｂのいずれかに対する入力動作であるかを問わずに、上記第１の実施形態および第２の実施形態における第２の指示動作とすることができる。
【０１６６】
また、図９に示すアイウェア２００において、制御部は、右側のテンプル１２０ａに配置された入力部１４２ａを構成する複数のタッチセンサに沿って前方から後方へスワイプする入力動作によって、第２の実施形態における上位階層の機能である視力補正機能に対応する中位階層の機能（オート機能およびマニュアル機能）を実行させてもよい。このとき、制御部は、左側のテンプル１２０ｂに配置された入力部１４２ｂを構成する複数のタッチセンサに沿って前方から後方へスワイプする入力動作によって、第２の実施形態における上位階層の機能である視力補正調光機能に対応する中位階層の機能（オート機能およびマニュアル機能）を実行させることができる。
【０１６７】
また、このとき、制御部は、右側のテンプル１２０ａに配置された入力部１４２ａへの後方から前方へスワイプする入力動作によって、視力補正機能かつオート機能において屈折率を変化させる傾斜角度（第１の実施形態における下位階層の機能）を遷移して実施させ、左側のテンプル１２０ｂに配置された入力部１４２ｂへの後方から前方へスワイプする入力動作によって、視力補正調光機能かつオート機能において屈折率を変化させる傾斜角度または照度に対する透過率の値（第１の実施形態における下位階層の機能）を遷移して実施させることもできる。
【０１６８】
また、図１０に示すアイウェア３００では、２つの入力部１４４ａおよび１４４ｂが、一対のテンプルのうち一方のテンプル（右側のテンプル１２０ａ）に配置されている。このときも、図９に示すアイウェア２００と同様に、一方の入力部１４４ａを構成する複数のタッチセンサに沿ってスワイプする入力動作を第１の指示動作とし、他方の入力部１４４ｂを構成する複数のタッチセンサに沿ってスワイプする入力動作を第２の指示動作としてもよい。また、入力部１４４ａおよび１４４ｂのいずれかを構成する複数のタッチセンサに沿って前方から後方へスワイプする入力動作を第１の指示動作とし、入力部１４４ａおよび１４４ｂのいずれかを構成する複数のタッチセンサに沿って前方から後方へスワイプする入力動作を第２の指示動作としてもよい。
【０１６９】
また、図１１に示すアイウェア４００では、入力部１４６ａおよび１４６ｂがブリッジ１１４およびテンプル１２０ａにそれぞれ配置されている。このとき、制御部は、ブリッジ１１４に配置された入力部１４６ａをつまむ（ピンチ）入力動作によって、上位階層の機能を選択的に実施させ、テンプル１２０ａに配置された入力部１４６ｂに沿って前方から後方または後方から前方へスワイプする入力動作によって、中位階層の機能および下位階層の機能を実行させてもよい。
【０１７０】
また、入力部の構成と指示動作との組み合わせは上述したタッチセンサと指の移動（スワイプ）動作との組み合わせに限定されず、ブリッジ、リム、テンプルなどに配置された上下面を有するピンチセンサと、当該ピンチセンサをつまむ（ピンチ）動作との組み合わせや、カメラと指または眼球などの移動との組み合わせとしてもよい。
【０１７１】
また、第１の指示動作および第２の指示動作（および第３、第４等の指示動作）は、指示動作同士を識別可能な限りにおいて、回数を変更した同一の動作（たとえばタップの回数やスワイプの回数）でもよいし、異なる入力動作とその回数の組み合わせなどとしてもよい。
【０１７２】
また、特に図示はしないが、フレームは、使用者の鼻に接触してアイウェアを位置固定する一対の鼻パッド、テンプルを回転可能にフロントのリムに接続するヒンジ部、リムの両端に配置されて電気制御型レンズをリムにねじ止めするリムロック部およびヨロイ部、テンプルを耳に掛ける形状を有するモダン部などを有していてもよい。入力部、制御部および感知部などは、これらの部材のうちいずれに配置されてもよい。
【０１７３】
また、本発明のアイウェアの例示的な機能構成を表すブロック図である図１２に示すように、アイウェアは、他のデバイスと通信可能な通信部１９２、上位階層の機能ごとに前回実行されたより下位の概念の機能（中位階層の機能および下位階層の機能など）を記憶し、次回に特定の上位階層の機能が実行されたときに制御部が同一のより下位の概念の機能を実行することを可能とする記憶部１７２、ならびに、ディスプレイなどの表示装置またはＬＥＤランプなどの機能の変更などを通知する外部の通知装置と有線または無線で接続可能な出力部１９６などを有していてもよい。アイウェアが備える各機能部は、バスＢにより接続される。
【０１７４】
このとき、たとえば記憶部１７２は、第１の実施形態において、上位階層の機能である視力補正機能または調光機能を実行中に第２の指示動作により制御部１７０が選択的に実行した透過率および屈折率の変化パターンを記憶してもよい。このとき、制御部１７０は、上記透過率および屈折率の変化パターンのうち、上位階層の機能であるハイブリッド機能を実行中に第２の指示動作により変更されない変化パターンは、視力補正機能または調光機能を実行中に記憶した変化パターンとすることができる。
【０１７５】
なお、上記説明では、電気制御により光学特性が変化する光学モジュールの例として電気制御型レンズを挙げて説明していたが、上記光学モジュールは、投射部１９８により画像および映像などを投射可能な透明板などであってもよい。このとき、制御部１７０は、投射される画像または映像などの種類に関する機能およびそのパターンに関する機能などを第１の指示動作および第２の指示動作で実行してもよい。
【０１７６】
２０１７年０２月２２日出願の特願２０１７−０３１２８０の日本出願に含まれる明細書、図面および要約書の開示内容は、すべて本願に援用される。
【産業上の利用可能性】
【０１７７】
本発明のアイウェアは、より複数の機能をより簡易な操作で実行可能である。そのため、本発明のアイウェアは、当分野におけるアイウェアの普及および進歩に貢献することが期待される。
【符号の説明】
【０１７８】
１００、２００、３００、４００  アイウェア
１１０  フロント
１１２  リム
１１４  ブリッジ
１２０ａ、１２０ｂ  テンプル
１３０  フレーム
１４０、１４２ａ、１４２ｂ、１４４ａ、１４４ｂ、１４６ａ、１４６ｂ  入力部
１４０ａ、１４０ｂ  凸部
１５０  電気制御型レンズ
１５０ａ  第１の領域
１５０ｂ  第２の領域
１６０  感知部
１７０  制御部
１７２  記憶部
１７５  ＣＰＵユニット
１８０  電源
１９２  通信部
１９４  記憶部
１９６  出力部
１９８  投射部
１４１０  第１の領域
１４２０  第２の領域
１４３０  第３の領域
１４１０ａ、１４２０ａ、１４３０ａ  タッチセンサ
１５１０  第１の透明基板
１５２０  第１の透明電極
１５３０  屈折率可変層
１５３５  接着層
１５４０  第２の透明電極
１５５０  第２の透明基板
１５６０  第３の透明電極
１５７０  透過率可変層
１５８０  第４の透明電極
１５９０  第３の透明基板
【図１】
2018155392.tif 000006
【図２】
2018155392.tif 000007
【図３】
2018155392.tif 000008
【図４】
2018155392.tif 000009
【図５】
2018155392.tif 000010
【図６】
2018155392.tif 000011
【図７】
2018155392.tif 000012
【図８】
2018155392.tif 000013
【図９】
2018155392.tif 000014
【図１０】
2018155392.tif 000015
【図１１】
2018155392.tif 000016
【図１２】
2018155392.tif 000017
【国際調査報告】
2018155392.tif 000018
2018155392.tif 000019
2018155392.tif 000020
2018155392.tif 000021